(57)【要約】本発明は、同期または非同期方式の地上携帯端末に衛星と直接送受信することができる衛星用アンテナを有する衛星通信モジュールを内装して、地上コードレス通信だけではなく地上通信網がないところで衛星通信する方法に関し、地上携帯端末に衛星と直接通信を行うことができる衛星用アンテナと、衛星通信モジュールで構成された衛星通信装置を内装して、衛星通信装置が地上通信装置と相互に所定の信号を送受信することが可能なようにインターフェイシングするステップと、インターフェイシングを介して衛星通信装置と地上通信装置の送受信信号によって衛星通信するステップを含む。【選択図】図３
2008526161.tif 000002
【特許請求の範囲】
【請求項１】
地上通信のための地上通信装置が備えられている同期または非同期方式の地上携帯端末を用いて衛星通信する方法において、
衛星と直接通信を行うことができる衛星用アンテナと、衛星通信モジュールで構成された衛星通信装置とを前記地上携帯端末に内装し、前記衛星通信装置が地上通信装置と相互に所定の信号を送受信することが可能なようにインターフェイシングする第１ステップと、
前記インターフェイシングを介して前記衛星通信装置と地上通信装置との送受信信号によって衛星通信する第２ステップと、
を含むことを特徴とする衛星通信方法。
【請求項２】
前記第１ステップにおいて、
前記衛星通信装置は、少なくとも一つのピンを有するボード対ボードコネクタを利用して前記地上携帯端末に内装されることを特徴とする請求項１に記載の衛星通信方法。
【請求項３】
前記第１ステップにおいて、
前記インターフェイシングは、ＧＰＩＯ、ＭＣＳＩ、ＵＡＲＴ、ＩＷＡの少なくとも一つを利用して行うことを特徴とする請求項１に記載の衛星通信方法。
【請求項４】
前記第２ステップは、
（ａ）衛星から送信された衛星信号を、前記衛星用アンテナを介して受信するステップと、
（ｂ）受信された衛星信号を衛星通信装置がインターフェイシングすることができる信号に変換して前記地上通信装置で伝逹するステップと、
（ｃ）前記地上通信装置で制御部の制御によって前記衛星通信装置から受け取った信号を、スピーカを介して音声を再生するステップと、
（ｄ）前記地上通信装置で制御部の制御によってマイクを介して入力された音声を所定の信号に変換し、前記インターフェイシングを介して前記衛星通信装置に送信するステップと、
（ｅ）前記地上通信装置から送信された信号を前記衛星通信装置を介して衛星とインターフェイシングすることができる衛星信号に変換して、前記衛星用アンテナを介して衛星に送信するステップを含むことを特徴とする請求項１に記載の衛星通信方法。
【請求項５】
地上携帯端末に内装するための衛星通信装置において、
衛星から高周波衛星信号を送受信することができる衛星用アンテナと、
前記高周波衛星信号を受信して中間周波数の信号に変換した後、ベースバンド信号に変換し、ベースバンド信号を中間周波数に変換した後、高周波衛星信号に変換する高周波処理部と、
前記高周波処理部から入力されたベースバンド信号を伝送し、変調を介して前記ベースバンド信号を形成して前記高周波処理部に出力し、ＰＬＬロジッグユニットを介して通信チャンネル周波数を保持する信号処理集積回路部と、
ＧＰＳ衛星から衛星信号を受信して位置情報とタイム情報を提供するＧＰＳ部と、
前記信号処理集積回路部から入力された前記ベースバンド信号を復調してチャンネルデコーディング処理及びメッセージデコーディング処理を行い、衛星通信に関連するプロトコルによる所定のフォーマットデータを形成してチャンネルコーディング処理した後、前記信号処理集積回路部に出力し、前記データをタイムスロットによって伝送するために、前記ＧＰＳ部から入力された位置情報とタイム情報に基づいてタイミング制御信号を出力し、衛星通信に関連する呼出処理を管理するメイン処理部とを含むことを特徴とする地上携帯端末に内装されることを特徴とする衛星通信装置。
【請求項６】
前記高周波処理部が送受信する信号の周波数帯域は、Ｌバンドであることを特徴とする請求項５に記載の衛星通信装置。
【請求項７】
前記高周波処理部が送受信する信号の周波数帯域は、Ｓバンドであることを特徴とする請求項５に記載の衛星通信装置。
【請求項８】
前記信号処理集積回路部は、ＳＩＭカードとのインターフェイシングを行うことを特徴とする請求項５に記載の衛星通信装置。
【請求項９】
前記高周波処理部は、ＭＭＩＣで具現されることを特徴とする請求項５に記載の衛星通信装置。
【請求項１０】
前記信号処理集積回路部は、ＡＳＩＣで具現されることを特徴とする請求項５に記載の衛星通信装置。
【請求項１１】
衛星と直接送受信することができる衛星用アンテナと、衛星信号を変換する高周波処理部と、通信チャンネル周波数を保持する信号処理集積回路部と、衛星ＧＰＳ信号を受信するＧＰＳ部と、衛星通信に関連する呼出処理を管理するメイン処理部とを構成要素にする衛星通信モジュールを有する衛星通信装置の衛星通信方法において、
衛星から送信された高周波衛星信号を前記衛星用アンテナが直接受信するステップと、
受信された前記高周波衛星信号を、前記高周波処理部が中間周波数の信号に変換した後、ベースバンド信号に変換し、ベースバンド信号を中間周波数に変換した後、高周波衛星信号に変換するステップと、
前記高周波処理部から入力されたベースバンド信号を、前記信号処理集積回路部が前記メイン処理部に送信し、変調を介して前記ベースバンド信号を形成して前記高周波処理部に出力し、ＰＬＬロジッグユニットを介して通信チャンネル周波数を保持するステップと、
ＧＰＳ衛星から衛星信号を受信したＧＰＳ部が前記メイン処理部に位置情報とタイム情報を提供するステップと、
前記信号処理集積回路部から入力された前記ベースバンド信号を前記メイン処理部が復調してチャンネルデコーディング処理及びメッセージデコーディング処理を行い、衛星通信に関連するプロトコルによる所定のフォーマットデータを形成してチャンネルコーディング処理した後、前記信号処理集積回路部に出力し、前記データをタイムスロットによって伝送するために、前記ＧＰＳ部から入力された位置情報とタイム情報に基づいてタイミング制御信号を出力して衛星に関連する呼出処理を管理するステップを含むことを特徴とする衛星通信装置の衛星通信方法。
【発明の詳細な説明】
【技術分野】
【０００１】
本発明は、衛星通信装置及び方法に関し、特にＣＤＭＡ（Ｃｏｄｅ  Ｄｉｖｉｓｉｏｎ  Ｍｕｌｔｉｐｌｅ  Ａｃｃｅｓｓ：符号分割多重接続）、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）、ＴＤＭＡ（Ｔｉｍｅ  Ｄｉｖｉｓｉｏｎ  Ｍｕｌｔｉｐｌｅ  Ａｃｃｅｓｓ：時間分割多重接続）などの通信方式を採用する地上携帯端末に内装されて衛星通信することができる衛星通信モジュールに関する。
【背景技術】
【０００２】
一般的に、ＣＤＭＡ、ＧＳＭおよびＴＤＭＡなどの特定の通信方式を採用する地上携帯端末（移動端末）は、それぞれの他の通信方式で相互互換されにくいだけでなく、（地上）通信網と相互接続する基地局の通信可能な範囲内でだけ使用可能である。しかし、技術的な観点から言うと、地上携帯端末の通信ができるようにする基地局は、陸地ではない場所、例えば、海、空、山などでは設置が容易ではない。また、経済的な観点から言うと、地上携帯端末のマーケティング特性により人口密図が少ない地域の基地局設置が難しいという問題点がある。
【０００３】
従って、本発明は、衛星の広いカバレージを利用することで、海、空、山などのどの地域でも通話が可能であり、既存の地上携帯端末の通信可能地域でも使うことができるように、地上携帯端末に内装して使うことができる衛星通信装置を提供する。
【発明の開示】
【発明が解決しようとする課題】
【０００４】
本発明の目的は、地上携帯端末に内装されて衛星通信ができる衛星通信装置及び方法を提供することにある。
【課題を解決するための手段】
【０００５】
上記した目的を達成するための本発明は、地上通信のための地上通信装置が備えられている同期または非同期方式の地上携帯端末で衛星通信する方法において、衛星と直接通信を行うことができる衛星用アンテナと、衛星通信モジュールで構成された衛星通信装置とを前記地上携帯端末に内装して、前記衛星通信装置が地上通信装置と相互に所定の信号を送受信することができるようにインターフェイシングするステップと、前記インターフェイシングを介して前記衛星通信装置と地上通信装置の送受信信号によって衛星通信するステップを含むことを特徴とする。
【０００６】
上記した目的を達成するための本発明の装置は、地上携帯端末に内装するための衛星通信装置は、高周波衛星信号を送受信することが可能な衛星用アンテナと、前記高周波衛星信号を受信して中間周波数の信号に変換した後、ベースバンド信号に変換し、ベースバンド信号を中間周波数に変換した後、高周波衛星信号に変換する高周波処理部と、前記高周波処理部から入力されたベースバンド信号を伝送し、変調を介して前記ベースバンド信号を形成して前記高周波処理部に出力し、ＰＬＬ（Ｐｈａｓｅ  Ｌｏｃｋｅｄ  Ｌｏｏｐ）ロジッグユニットを介して通信チャンネル周波数を保持する信号処理集積回路部と、ＧＰＳ（Ｇｌｏｂａｌ  Ｐｏｓｉｔｉｏｎ  Ｓｙｓｔｅｍ）衛星から衛星信号を受信して位置情報とタイム情報を提供するＧＰＳ部と、前記信号処理集積回路部から入力された前記ベースバンド信号を復調してチャンネルデコーディング処理及びメッセージデコーディング処理を行い、衛星通信に関連するプロトコルによる所定のフォーマットデータを形成してチャンネルコーディング後、前記信号処理集積回路部に出力し、前記データをタイムスロットによって伝送するために、前記ＧＰＳ部から入力された位置情報とタイム情報に基づいてタイミング制御信号を出力し、衛星通信に関連する呼出処理を管理するメイン処理部を含むことを特徴とする。
【０００７】
上記目的を達成するための本発明の方法は、地上携帯端末通信と共に地上基地局がないところでも衛星と直接通信を行うことができる方法として衛星信号を変換する高周波処理部と、通信チャンネル周波数を保持する信号処理集積回路部と、衛星ＧＰＳ信号を受信するＧＰＳ部と、衛星通信に関連する呼出処理を管理するメイン処理部を構成要素にする衛星通信装置の衛星通信方法において、衛星から送信された高周波衛星信号を前記衛星用アンテナが直接受信するステップと、受信された前記高周波衛星信号を、前記高周波処理部が中間周波数の信号に変換した後、ベースバンド信号に変換し、ベースバンド信号を中間周波数に変換した後、高周波衛星信号に変換するステップと、前記高周波処理部から入力されたベースバンド信号を、前記信号処理集積回路が前記メイン処理部に送信し、変調を介して前記ベースバンド信号を形成して前記高周波処理部に出力し、ＰＬＬロジッグユニットを介して通信チャンネル周波数を保持するステップと、ＧＰＳ衛星から衛星信号を受信したＧＰＳ部が前記メイン処理部に位置情報とタイム情報を提供するステップと、前記信号処理集積回路部から入力された前記ベースバンド信号を前記メイン処理部が復調してチャンネルデコーディング処理及びメッセージデコーディング処理を行い、衛星通信に関連するプロトコルによる所定のフォーマットデータを形成してチャンネルコーディング後、前記信号処理集積回路部に出力し、前記データをタイムスロットによって伝送するために、前記ＧＰＳ部から入力された位置情報とタイム情報に基づいてタイミング制御信号を出力して衛星に関連する呼出処理を管理するステップを含むことを特徴とする。
【発明の効果】
【０００８】
上述したような本発明の衛星通信モジュールはどのような形態（完製品、ボード、モジュール）の地上携帯端末にも格納、もしくはインターフェイシングが可能である。さらに、基地局など地上通信網のある地域は、地上携帯端末通信方式により、衛星通信モジュールが利用できる。そのうえ、前記地上通信網がないところであっても前記携帯端末に前記衛星通信モジュールを内装すると、どこでも衛星通信が可能であり、地上携帯端末の地上ローミングサービスの限界点を解決することができる。
【発明を実施するための最良の形態】
【０００９】
以下、本発明による好適な実施例を添付した図面を参照しながら詳細に説明する。下記の説明では本発明による動作を理解するのに必要な部分だけが説明され、その以外の部分の説明は本発明の要旨から離れない範囲で省略されることを留意しなければならない。
【００１０】
図１は従来技術による地上携帯端末（移動端末）の内部構成図である。本発明で図１を説明しようとする理由は、本発明で提案する衛星通信モジュール（Ｓａｔｅｌｌｉｔｅ  ｃｏｍｍｕｎｉｃａｔｉｏｎ  Ｍｏｄｕｌｅ：ＳＣＭ）と地上携帯端末の接続及びインターフェイシングを理解するのに役立つからである。ここで地上携帯端末は地上通信網を利用する携帯端末として、地上ネットワークはＣＤＭＡ、ＧＳＭ、ＴＤＭＡなどの通信方式で構成された地上通信網を意味する。また、無線通信網は同期または非同期通信方式を全て含む。本発明で言及する衛星通信装置は衛星通信モジュールと衛星用アンテナを構成要素にする。
【００１１】
図１を参照すれば、無線周波数部１８は地上携帯端末の通信を行う。無線周波数部１８は、送信される信号の周波数を上昇変換及び増幅するＲＦ（Ｒａｄｉｏ  Ｆｒｅｑｕｅｎｃｙ）送信機と、受信される信号を低雑音増幅し周波数を下降変換するＲＦ受信機などを含む。ここで、基地局と送受信する地上用アンテナ１９は一般的に用いられる地上携帯端末の地上用アンテナである。
【００１２】
データ処理部１４は、送信される信号を符号化及び変調する送信機及び受信される信号を復調及び復号化する受信機などを備える。データ処理部１４はモデム及びコーデックで構成することができる。
【００１３】
オーディオ処理部１５は、データ処理部１４から出力される受信オーディオ信号を再生する、もしくは、マイクから入力される送信オーディオ信号をデータ処理部１４に送信する機能を行う。キー入力部１２は数字及び文字情報を入力するためのキー及び各種機能を設定するための機能キーを備える。メモリ部１３はプログラムメモリ及びデータメモリで構成することができる。プログラムメモリには地上携帯端末の一般的な動作を制御するためのプログラムを格納することができる。また、データメモリにはプログラムを実行するときに発生されるデータを一時保存することができる。
【００１４】
制御部１０は、地上携帯端末の全般的な動作を制御する機能を処理し、データ処理部１４を含むことができる。本発明において、制御部１０は衛星通信装置から受け取った信号を制御して、表示部１１、キー入力部１２、マイク及びスピーカなどを制御することができる。表示部１１は液晶表示装置などを用いることができ、制御部１０の制御によって使用者が見られるように文字、数字、映像などの情報を表示することができる。
【００１５】
応用装置部３０には、カメラモジュール、ブルーツースモジュールなどの地上携帯端末の機能を多様にする各種の応用モジュールを接続することができる。
【００１６】
図２は本発明による携帯端末の構成図であって、地上通信装置と衛星通信装置で構成される。即ち、図２は前述した既存の地上携帯端末に衛星通信のための衛星通信装置が内装される構成図であって、接続方法及びインターフェイシングなどについて説明する。
【００１７】
図２を参照すると、地上携帯端末はモジュール単位で構成することができる。即ち、ＧＳＭ通信方式の地上携帯端末は、ＧＳＭモジュールを利用して、図１の構成のような地上携帯端末を具現することができる。また、ＣＤＭＡ通信方式またはＴＤＭＡ通信方式の地上携帯端末は、ＣＤＭＡまたはＴＤＭＡモジュールを利用して、図１の構成のような地上携帯端末を具現することができる。この場合、一般ボード形態またはモジュール（ＧＳＭ、ＣＤＭＡ、ＴＤＭＡモジュールなど）形態にかかわらず、衛星通信モジュール２０と接続することができるコネクタを備えていたらどのような形態のボードまたはモジュールと接続が可能である。この場合、コネクタ形態は一例であり、少なくとも一つのピンを有するボード対ボードコネクタを用いることができる。
【００１８】
地上携帯端末と接続されている衛星通信モジュールとの間には相互に所定の信号を送受信することができるように具現しなければならない。この場合、インターフェイシングはＧＰＩＯ、ＭＣＳＩ、ＵＡＲＴ、またはＩＷＡなどを利用することができる。また、衛星通信モジュール２０は高周波衛星信号を送受信することができる衛星用アンテナ２１を用いる。衛星用アンテナ２１は外装型または内装型であればよい。
【００１９】
次に、同期または非同期方式の地上携帯端末と衛星の直接送受信を行うことができる衛星用アンテナを有する衛星通信モジュールを接続して衛星通信する方法について説明する。
【００２０】
図２を参照すれば、地上携帯端末と所定のコネクタを利用して衛星と直接送受信することができる衛星用アンテナ２１を有する衛星通信モジュール２０を接続する。地上携帯端末と接続された衛星通信モジュールが相互に所定の信号を送受信することができるようにインターフェイシングする。接続方法とインターフェイシングする方法は上述したとおりである。
【００２１】
地上携帯端末と衛星通信モジュール２０との間のインターフェイシングを介して衛星通信が可能である。衛星用アンテナ２１は、衛星から高周波衛星信号を受信して衛星通信モジュール２０に送信する。ここで、高周波衛星信号は静止軌道衛星、中軌道衛星、または低軌道衛星から送信されるＬバンド、Ｓバンド、Ｋｕバンド、Ｋａバンドなどの信号であり、音声、データ、ファックス、パケットなどの信号を意味する。また、衛星用アンテナ２１は、静止軌道衛星、中軌道衛星、低軌道衛星から直接送受信することができるアンテナである。
【００２２】
衛星通信モジュール２０は、衛星用アンテナ２１を介して送受信される信号を地上携帯端末とインターフェイシングすることができる信号（形式）に変換して、地上携帯端末と送受信する。衛星通信モジュール２０から地上携帯端末にインターフェイシングすることができる信号（形式）の信号を受け取った制御部１０は、地上携帯端末を地上通信網から受け取った信号として認識して制御するようになる。例えば、高周波衛星信号が音声であると仮定すれば、制御部１０はデータ処理部１４とオーディオ処理部１５を制御してスピーカー（ＳＰＫ）で音声を再生するようにする。一方、制御部１０がマイク（ＭＩＣ）から地上携帯端末に音声信号が入力されることが認識され、データ処理部１４とオーディオ処理部１５を介して衛星通信モジュール２０に送信され、衛星通信モジュール２０は衛星とインターフェイシングすることができるように信号を変換して、衛星用アンテナ２１を介して衛星信号を衛星に送信する。
【００２３】
図３は本発明による衛星通信装置の内部構成図である。図３に示すように、本発明による衛星通信装置は、衛星用アンテナ２１と衛星通信モジュール２０で構成されている。衛星通信モジュール２０は、高周波処理部１００、信号処理集積回路部２００、ＰＣＭ（Ｐｕｌｓｅ  Ｃｏｄｅ  Ｍｏｄｕｌａｔｉｏｎ）コーデック３００、ＧＰＳ部４００、メイン処理部５００、及びメモリ部６００を含む。本発明において説明している衛星通信モジュール２０は、地上携帯端末に内装されて用いられるが、独立的なモジュールとして衛星携帯端末を具現することができる。また、セットトップボックス（ＳＴＢ：Ｓｅｔ−Ｔｏｐ−Ｂｏｘ）などの衛星関連受信装置にも具現することができる。
【００２４】
図３を参照すると、高周波処理部１００は、（実際に）衛星から受け取った高周波衛星信号を中間周波数の信号に変換した後、ベースバンドのデジタル信号であるＩ／Ｑ（Ｉｎｐｈａｓｅ／Ｑｕａｄｒａｔｕｒｅ  Ｐｈａｓｅ）信号に変換するＲＦ受信部１１０と、ベースバンドのデジタル信号であるＩ／Ｑ信号を中間周波数に変換した後、高周波衛星信号に変換するＲＦ送信部１５０を含む。この場合、ＲＦ受信部１１０が衛星から受信する信号の周波数は１５２５ＭＨｚ  〜  １５５９ＭＨｚであり、  ＲＦ送信部１５０が衛星に送信する信号の周波数は１６２６．５ＭＨｚ  〜  １６６０．５ＭＨｚである。このように本発明の高周波処理部１００は、Ｌバンドの周波数信号を送受信するが、Ｓバンド、Ｋａバンド、またはＫｕバンドなど他の帯域の周波数信号を送受信することもできる。
【００２５】
信号処理集積回路部２００は、高周波処理部１００のＲＦ受信部１１０から入力されるＩ／Ｑ信号に対する整合フィルタリング、衛星通信規格を満たすために送信データ、例えば音声データ、テキストデータ、ファックスデータ、及びマルチメディアデータなどを変調してＩ／Ｑ信号を形成、システム基準タイミングと通信チャンネル周波数の保持、高周波処理部１００のパワー制御、  ＳＩＭ（Ｓｕｂｓｃｒｉｂｅｒ  Ｉｄｅｎｔｉｔｙ  Ｍｏｄｕｌｅ）カードとのインターフェイシング、及びＰＣＭデータが圧縮された音声データの処理を行う。
【００２６】
ＰＣＭコーデック３００は、マイクを介して入力される音声アナログ信号をサンプリング、量子化、及びコーディング処理を経ってＰＣＭデータを形成し、受信されたＰＣＭデータをデコーディング処理してアナログ信号に復号した後、スピーカを介して出力する。衛星通信モジュール２０は、独立的なモジュールとしてスピーカとマイクを具現する場合、ＰＣＭコーデック３００を利用する。
【００２７】
ＧＰＳ部４００は、ＧＰＳ衛星から衛星信号を受信して地上携帯端末に位置情報とタイム情報を提供する。この場合、位置情報及びタイム情報は衛星ＴＤＭＡ方式におけるタイム同期としての役目を果たす。
【００２８】
メイン処理部５００は、信号処理集積回路部２００からＩ／Ｑ信号を復調してチャンネルデコーディング処理及びメッセージデコーディング処理を行い、衛星通信と関連するプロトコルによるデータフォーマットを形成して、チャンネルコーディング処理した後、信号処理集積回路部２００に出力する。メイン処理部５００はデータをタイムスロットに分割して伝送する時分割多重化（ＴＤＭ：Ｔｉｍｅ  Ｄｉｖｉｓｉｏｎ  Ｍｕｌｔｉｐｌｅｘ）のために、ＧＰＳ部４００から入力された正確な位置情報とタイム情報に基づいてタイミングを制御して呼出処理を管理する。
【００２９】
メモリ部６００は、本発明の衛星通信モジュールの動作に必要なデータ及びプログラムを格納する。
【００３０】
図４は本発明による衛星通信装置で衛星通信モジュール内の高周波処理部の構成図である。
【００３１】
ＲＦ受信部１１０は、低雑音増幅部１１１、中間周波数変換部１１３、及びアナログ信号変換部１１５を含む。
【００３２】
低雑音増幅部１１１は、ＬＮＡ（Ｌｏｗ  Ｎｏｉｓｅ  Ａｍｐｌｉｆｉｅｒ）を有してアンテナを介して受信された低い電力レベルの高周波衛星信号を、雑音を最小化しながら増幅する。
【００３３】
中間周波数変換部１１３は、ＲＦ／ＩＦ（Ｒａｄｉｏ  Ｆｒｅｑｕｅｎｃｙ／Ｉｎｔｅｒｍｅｄｉａｔｅ  Ｆｒｅｑｕｅｎｃｙ）コンバータを含んで、低雑音増幅部１１１から出力される高周波衛星信号を中間周波数の信号に変換する。
【００３４】
アナログ信号変換部１１５は、中間周波数変換部１１３から出力される中間周波数の信号をデジタル信号であるＩ信号及びＱ信号に変換する。
【００３５】
ＲＦ送信部１５０は、デジタル信号変換部１５１、高周波変換部１５３、及びパワー増幅部１５５を含む。
【００３６】
デジタル信号変換部１５１は、ＩＦコンバータを含んで、変調によって生成されるデジタル信号であるＩ信号及びＱ信号をアナログ信号形態である中間周波数信号に変換する。
【００３７】
高周波変換部１５３は、ＩＦ／ＲＦコンバータを含んでおり、デジタル信号変換部１５１から送られる中間周波数信号を高周波衛星信号に変換する。
【００３８】
パワー増幅部１５５は、電力増幅器（ＰＡ）を含んでおり、高周波変換部１５３から出力される高周波衛星信号を増幅して衛星まで信号が伝逹されるようにする。
【００３９】
本発明の高周波処理部１００は、ＭＭＩＣ（Ｍｏｎｏｌｉｔｈｉｃ  Ｍｉｃｒｏｗａｖｅ  Ｉｎｔｅｇｒａｔｅｄ  Ｃｉｒｃｕｉｔ）によって具現される。ＭＭＩＣは、一つの半導体基板上に半導体素子と共に各種の受動素子及び部品を同時に刷り出した回路として、ＳｉあるいはＧａＡｓ類の基板上に同時に集積する。このように高周波処理部１００がＭＭＩＣで具現されるので、図５の（ｂ）に示すように、図５の（ａ）のような高周波処理部１００に比べてその大きさが小さくてモジュール化、即ち小型化が可能である。
【００４０】
図６は本発明による衛星通信装置で信号処理集積回路部の構成図である。本発明の信号処理集積回路部２００は、ＩＦ処理部２１０、加入者認証処理部２２０、オーディオ処理部２３０、パワー制御部２４０、ＰＬＬ（Ｐｈａｓｅ  Ｌｏｃｋｅｄ  Ｌｏｏｐ）ロジッグ部２５０、及びタイミング伝逹部２６０を含む。
【００４１】
ＩＦ処理部２１０は、ＲＦ受信部１１０から入力されたＩ／Ｑ信号に対する整合フィルタリング処理と変調処理を行ってＲＦ送信部１５０にＩ／Ｑ信号を出力する。ＩＦ処理部２１０による変調は、ＱＰＳＫ（Ｑｕａｄｒａｔｕｒｅ  Ｐｈａｓｅ  Ｓｈｉｆｔ  Ｋｅｙｉｎｇ）方式、ＣＱＰＳＫ（Ｃｏｍｐａｔｉｂｌｅ  Ｑｕａｄｒａｔｕｒｅ  Ｐｈａｓｅ  Ｓｈｉｆｔ  Ｋｅｙｉｎｇ）方式、及びＢＰＳＫ  （Ｂｉｎａｒｙ  Ｐｈａｓｅ  Ｓｈｉｆｔ  Ｋｅｙｉｎｇ）方式などのデジタル変調でなされる。
【００４２】
ＰＬＬロジッグ部２５０は、システム基準タイミング、高周波変換及び中間周波数変換の時に必要な基準周波数を保持するＰＬＬ動作を行う。
【００４３】
加入者認証処理部２２０は、ＳＩＭカードに保存された固有（識別）番号、口座番号、及び登録された電話番号などの加入者の情報をインターフェイシングする。
【００４４】
オーディオ処理部２３０は、音声に対するサンプリング、量子化、及びコーディング処理を経って形成されたＰＣＭデータを圧縮して音声データに変換し、受信された圧縮状態の音声データを復号してＰＣＭ信号に変換した後、アナログ音声信号を形成する。
【００４５】
パワー制御部２４０は、高周波処理部１００によって送受信がなされる時間の間にだけ動作するように、タイミング制御を利用して信号処理集積回路部２００の電力消耗を制御する。
【００４６】
タイミング伝逹部２６０は、衛星とＴＤＭＡ方式の通信をするために、メイン処理部５００から出力されたタイミング制御信号を高周波処理部１００に送信する。このような信号処理集積回路部２００は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）で具現されるので、本発明のモジュール化、即ち小型化が可能である。
【００４７】
次に、図６を参照して本発明の衛星通信モジュールの動作を詳細に説明する。
【００４８】
先ず、メイン処理部５００は、ＧＰＳ部４００から出力される位置情報とタイム情報に基づいてタイミング制御信号を出力し、信号処理集積回路部２００のパワー制御部２４０はタイミング制御信号に従って高周波処理部１００にパワーを供給する。
【００４９】
電源が供給された高周波処理部１００のＲＦ受信部１１０は、衛星から高周波衛星信号を受信して中間周波数の信号に変換した後、デジタル信号であるＩ／Ｑ信号に変換する。この場合、ＲＦ受信部１１０の動作は、ＰＬＬロジッグ部２５０によって保持される基準周波数を利用してなされる。
【００５０】
ＲＦ受信部１１０は、Ｉ／Ｑ信号を信号処理集積回路部２００に出力し、信号処理集積回路部２００のＩＦ処理部２１０は、入力されたＩ／Ｑ信号を整合フィルタリングして正確なＩ／Ｑ信号を形成してメイン処理部５００に出力する。
【００５１】
メイン処理部５００は、ＩＦ処理部２１０から受信され整合フィルタリングされたＩ／Ｑ信号を元のデータに復調し、元のデータに対してチャンネルデコーディング処理してデータ誤りを検出して訂正した後に処理する。この場合、メイン処理部５００は、音声データを信号処理集積回路部２００のオーディオ処理部２３０に出力する。
【００５２】
オーディオ処理部２３０は、メイン処理部５００から受信した音声データを、音声データの圧縮を解除してＰＣＭ信号を形成した後、アナログ音声信号に変換してスピーカに出力する。
【００５３】
一方、メイン処理部５００は、衛星通信に関連するプロトコルに従って特定フォーマットの送信データを形成してチャンネルコーディング処理を行った後、信号処理集積回路部２００に出力する。この場合、ＰＣＭコーデック３００は、マイクを介して入力されたアナログ音声信号をサンプリング、量子化、及びコーディング処理を経ってＰＣＭ信号に変換してメイン処理部５００に出力する。メイン処理部５００は、ＰＣＭ信号を衛星通信に関連するプロトコルに従って特定フォーマットの送信データに変換してチャンネルコーディング処理した後、信号処理集積回路部２００に出力する。信号処理集積回路部２００のＩＦ処理部２１０は、メイン処理部５００から受信したチャンネルコーディング処理された送信データを変調してＩ／Ｑ信号を形成した後、高周波処理部１００のＲＦ送信部１５０に出力する。
【００５４】
メイン処理部５００は、ＧＰＳ部４００から出力された位置情報とタイム情報に基づいてタイミング制御信号を出力し、信号処理集積回路部２００のパワー制御部２４０は、タイミング制御信号に従って高周波処理部１００のＲＦ送信部１５０にパワーを供給する。
【００５５】
ＲＦ送信部１５０は、パワーが供給されることによって信号処理集積回路部２００から出力されたＩ／Ｑ信号を中間周波数の信号に変換し、中間周波数信号を特定帯域の高周波衛星信号に変換して衛星に送信する。この場合、ＲＦ送信部１５０の動作は、ＰＬＬロジッグ部２５０によって保持される基準周波数を利用してなされる。
【００５６】
このように動作する本発明の衛星通信モジュールにおいて、高周波処理部１００及び信号処理集積回路部２００は、それぞれＭＭＩＣとＡＳＩＣの形態に形成される。従って、高周波処理部１００の小型化と信号処理集積回路部２００の小型化がなされるので、地上携帯端末に内装される本発明の対象になる衛星通信モジュールが可能になる。
【００５７】
一方、本発明の詳細な説明では具体的な実施例関して説明したが、本発明の範囲から脱しない限り内でさまざまな変形が可能であることは勿論である。従って、本発明の範囲は説明された実施例に限定されて決まるものではなく、前述する特許請求の範囲だけではなくこの特許請求の範囲と均等なものなどによって決まらなければならない。
【図面の簡単な説明】
【００５８】
【図１】従来技術による地上携帯端末の内部構成図である。
【図２】本発明による衛星通信装置が内装された携帯端末の構成図である。
【図３】本発明による衛星通信装置の内部構成図である。
【図４】本発明による衛星通信装置で衛星通信モジュール内の高周波処理部の構成図である。
【図５】本発明の一実施例による衛星通信装置の小型化のための概念図である。
【図６】本発明による衛星通信装置で信号処理集積回路部の構成図である。
【図１】
2008526161.tif 000003
【図２】
2008526161.tif 000004
【図３】
2008526161.tif 000005
【図４】
2008526161.tif 000006
【図５】
2008526161.tif 000007
【図６】
2008526161.tif 000008
【国際調査報告】
2008526161.tif 000009
2008526161.tif 000010
2008526161.tif 000011